(57)【要約】【課題】人手によることなく土砂や木の葉等の浮遊物を雨水貯留部内から自動的に除去できる雨水調整施設を提供すること。【解決手段】土砂を雨水から分離可能な多数の雨水案内部材８を地面内に形成した雨水調整空間６内に三次元的に配列積層すると共に、雨水調整空間６に雨水を流入させる開口１１ａを設けて、開口１１ａから雨水調整空間６内に流入する雨水に含まれる土砂を前記雨水案内部材８で前記雨水から分離し、この分離した土砂を集砂部に捕集させるようになっている。しかも、雨水調整空間６の上部側に集砂溝１６ａを設けると共に、前記集砂部（集砂溝１６ａ）内に排水口（排水パイプ２１）に連通する排水管２３を臨ませている。【選択図】図４
2007262655.tif 000002
【特許請求の範囲】
【請求項１】
土砂を雨水から分離可能な多数の雨水案内部材を地面内に形成した雨水貯留部内に三次元的に配列積層すると共に、前記雨水貯留部内に雨水を流入させる流入口を設けて、前記流入口から前記雨水貯留部内に流入する雨水に含まれる土砂を前記雨水案内部材で前記雨水から分離し、この分離した土砂を集砂部に捕集させるようにした雨水調整施設において、
前記雨水貯留部の上部側に前記集砂部を設けると共に、前記集砂部内に排水口に連通する排水管を臨ませたことを特徴とする雨水調整施設。
【請求項２】
請求項１に記載の雨水調整施設において、前記排水管の上端部を逆Ｕ字状に折曲させて、前記上部開口が下方を向いた折曲部を前記排水管の上端部に形成すると共に、前記上部開口を集砂部内に配設させることにより、前記集砂部に雨水の一部と共に流入する土砂をサイホンの原理を利用して前記排水管の上部開口から吸い込ませて下端開口から排出可能に設けられていることを特徴とする雨水調整施設。
【請求項３】
請求項１又は２に記載の雨水調整施設において、前記排水管の下端開口は前記地面に埋設されたマンホール内に配設されていることを特徴とする雨水調整施設。
【請求項４】
請求項３に記載の雨水調整施設において、前記排水管内の空気を排水管外に抜くことが可能な空気抜き用逆止弁を前記折曲部の上端部に設けたことを特徴とする雨水調整施設。
【発明の詳細な説明】
【技術分野】
【０００１】
この発明は、多数の雨水案内部材が積層された雨水貯留部を有する雨水調整施設に関するものである。
【背景技術】
【０００２】
従来、例えば大規模な宅地造成地では、造成面積に見合う間隔や規模で雨水調整施設を造成している。この雨水調整施設としては、例えば地面を１ｍ程度掘下げて雨水等の貯留部を形成すると共に、この貯留部に周囲の住宅地からの排水溝や道路の側溝を接続するようにしている。
【０００３】
このような雨水調整施設は、集中豪雨等に際して、余分な雨水等を一時的に貯留して、住宅地周囲に雨水が滞留するのを防止したり、余分な雨水が河川に急激に流れ込むのを防止することにより、河川が氾濫するのを防止したり、余分な雨水が下水を介して河川に急激に流出するのを防止することにより、河川が氾濫するのを防止したりするようになっている。
【０００４】
この種の雨水調整施設としては、地面を所定深さまで掘下げることにより、地面に雨水貯留凹部を形成し、この雨水貯留凹部の底部からグランドライン付近まで複数の雨水案内部材を縦横かつ上下に配設して、雨水貯留凹部内を雨水案内部材で充填すると共に、最上部の雨水案内部材上にカバーを設けることにより、雨水貯留凹部内を雨水貯留部としたものが知られている（例えば、特許文献１参照）。
【０００５】
このような雨水調整施設では、雨水貯留部に流れ込む雨水に含まれる土砂を多数の雨水案内部材で雨水から分離して、分離した土砂を雨水貯留凹部の底部に設けた集砂部としての沈殿槽等に導き、土砂を除去しやすくすることが考えられている。
【０００６】
また、雨水貯留部内に雨水と共に流入するものとしては土砂以外に木の葉等の浮遊物がある。このため、雨水貯留部内に貯留された雨水をポンプ等でくみ上げて他の目的のための利水に利用する場合には、ポンプの吸込口にフィルターを設けて、ポンプに吸い込まれる雨水から浮遊物等を除去する必要があった。
【特許文献１】特許第３６６０９１７号公報
【発明の開示】
【発明が解決しようとする課題】
【０００７】
しかしながら、従来は、沈殿槽に堆積した土砂の除去を定期的に行う必要があり、又、利水のためにポンプ等を利用する場合にはフィルターの清掃作業も頻繁に行う必要があった。
【０００８】
そこで、この発明は、人手によることなく土砂や木の葉等の浮遊物を雨水貯留部内から自動的に除去できる雨水調整施設を提供することを目的とするものである。
【課題を解決するための手段】
【０００９】
この目的を達成するため、請求項１の発明は、土砂を雨水から分離可能な多数の雨水案内部材を地面内に形成した雨水貯留部内に三次元的に配列積層すると共に、前記雨水貯留部内に雨水を流入させる流入口を設けて、前記流入口から前記雨水貯留部内に流入する雨水に含まれる土砂を前記雨水案内部材で前記雨水から分離し、この分離した土砂を集砂部に捕集させるようにした雨水調整施設において、前記雨水貯留部の上部側に前記集砂部を設けると共に、前記集砂部内に排水口に連通する排水管を臨ませたことを特徴とする。
【００１０】
また、請求項２の発明は、請求項１に記載の雨水調整施設において、前記排水管の上端部を逆Ｕ字状に折曲させて、前記上部開口が下方に向けた折曲部を前記排水管の上端部に形成すると共に、前記上部開口を集砂部内に配設させることにより、前記集砂部に雨水の一部と共に流入する土砂をサイホンの原理を利用して前記排水管の上部開口から吸い込ませて下端開口から排出可能に設けられていることを特徴とする。
【００１１】
更に、請求項３の発明は、請求項１又は２に記載の雨水調整施設において、前記排水管の下端開口は前記地面に埋設されたマンホール内に配設されていることを特徴とする。
【００１２】
更に、請求項４の発明は、請求項３に記載の雨水調整施設において、前記排水管内の空気を排水管外に抜くことが可能な空気抜き用逆止弁を前記折曲部の上端部に設けたことを特徴とする。
【発明の効果】
【００１３】
請求項１の発明によれば、人手によることなく土砂や木の葉等の浮遊物を雨水貯留部内から自動的に除去できる。
【００１４】
また、請求項２の発明によれば、集砂部に案内される土砂を雨水と共にサイホンの原理を利用して排水口側に吸い出すことができる。
【００１５】
更に、請求項３の発明によれば、マンホールを利用して排水管の点検・補修等のメインテナンスを容易に行うことができる。
【００１６】
また、請求項４の発明によれば、マンホール内に流入する雨水が排水管の上部開口より上方に上昇する際に、上昇する雨水で圧縮される排水管内の空気を抜いて、マンホール内の雨水が排水管の上部開口より下方に降下する際に、集砂部の土砂及び雨水の一部がサイホンの原理により排水管を介して自動的に排出される。
【発明を実施するための最良の形態】
【００１７】
以下、この発明の実施の形態を図面に基づいて説明する。
[構成]
図２（ａ），図３，図４に示したように地面１内には、砕石層２と、この砕石層２上に打設されたコンクリート製の基礎部３が設けられている。また、この地面１内には、基礎部３上に位置させた雨水調整施設用空間４が設けられている。
【００１８】
この雨水調整施設用空間４の底面及び側面は図２（ａ）に示した形状の防水シート５でカバーされ、この防水シート５内に雨水調整空間６が雨水貯留部として形成されている。この防水シート５は、図２（ｃ）に示したように内面側の遮水シート５ａと地面側の保護シート５ｂを備えている。
【００１９】
この雨水調整空間６内には雨水調整施設７が設けられている。この雨水調整施設７は、多数の雨水案内部材８を三次元的に配列積層することにより形成した雨水案内組立体９，１０を有する。この雨水案内組立体９，１０は、図１に示したように、多数の雨水案内部材８を雨水調整空間６の左右の部分に縦横（水平方向）配列すると共に、多数の雨水案内部材８を図２（ａ），図３に示したように上下（高さ方向）に配列することにより形成されている。
【００２０】
この雨水案内部材８は、図６に示したように、方形状に形成され且つ矢印Ａ１で示した方向（一方向）に傾斜する傾斜板部８ａと、傾斜板部８ａの四隅に設けられた結合部８ｂを有する。この結合部８ｂは、傾斜板部８ａの上方に開放する三角形状の結合凹部８ｂ１と、傾斜板部８ａの下方に突出する下結合板部（下結合突部）８ｂ２を有する。尚、傾斜板部８ａは、雨水を流下させるが土砂等が流下しないような多孔板から形成されている。
【００２１】
これにより、雨水案内部材８の結合凹部８ｂ１に図示しない他の雨水案内部材（雨水案内部材８と同じ構成）の下結合板部（下結合突部）を挿入係合させると、多数の雨水案内部材８が上下に積層されるように結合される。そして、この積層により、多数の雨水案内部材８の傾斜板部８ａ間に雨水を貯留する空間が形成される。
【００２２】
また、雨水調整施設７は、図１に示したように雨水案内組立体９，１０間の一端部に位置させた雨水流入用のマンホール１１と、雨水案内組立体９，１０間の他端部に位置させた排水用のマンホール１２を有する。
【００２３】
更に、雨水調整施設７は、図２（ａ）に示したように雨水案内組立体９，１０間に位置させた雨水案内組立体１３，１４，１５を有する。この雨水案内組立体１３，１４，１５はそれぞれ雨水案内部材１３ａ，１４ａ，１５ａを有し、雨水案内部材１３ａ，１４ａ，１５ａの積層時の結合部は雨水案内部材８の結合部ｂ１と同様な構成を用いることができるので、その説明は省略する。尚、雨水案内組立体１３，１４，１５の雨水案内部材１３ａ，１４ａ，１５ａは図１では縦方向（図１の上下方向）にも配列されている。
【００２４】
また、雨水案内組立体１４は図２（ａ）に示したように雨水案内組立体１３，１５間に位置し、この雨水案内組立体１４の上部の雨水案内部材１４ａ，１４ａ間には図５に示したように断面形状がＵ字状で細長く延びる集砂部材１６が配設されている。この集砂部材１６の長手方向両端部はマンホール１１，１２近傍まで延設されている。１６ａは集砂部材１６の上方に開放する集砂溝（集砂部）である。
【００２５】
尚、集砂溝１６ａが開口する部分に水平方向に連設される多数の雨水案内部材８と、この多数の雨水案内部材８の真上水平方向に配設される多数の雨水案内部材８との間には、雨水流入空間（符号省略）が形成される。
【００２６】
また、図２（ａ）、図３，図４に示したように、雨水案内組立体９，１０，１３，１４，１５の上端はカバー板１７でそれぞれ覆われており、カバー板１７の上部には図２（ｂ）に示した防水シート１８で覆われている。この防水シート１８は、図２（ｄ）に示したようにカバー板１７側の遮水シート１８ａと、地面側の保護シート１８ｂを備えている。
【００２７】
また、マンホール１１，１２には、集砂部材１６の端部に臨ませて、雨水流入空間（符号省略）に連通する開口１１ａ，１２ａがそれぞれ形成されている。
【００２８】
更に、図１，図４に示したようにマンホール１１の上部には雨水流入管１９が接続され、この雨水流入管１９には雨水マス２０や図示しない集水部（側溝）等が接続されている。
【００２９】
また、マンホール１２の下端部には、図示しない下水等に接続された排水パイプ（排水口）２１が接続されていると共に、雨水調整空間６内に開口するオリフィス２２が設けられている。このオリフィス２２の開口面積は調整可能に設けられていて、雨水調整空間６内に貯留される雨水を少しずつマンホール１２内に排水するようになっている。
【００３０】
更に、マンホール１２には排水管２３が保持されている。この排水管２３の上端部には逆Ｕ字状に折曲させられた折曲部２３ｄが設けられ、この折曲部２３ｄの開口２３ｂは、下方に向けて開口していると共に、集砂部材１６に形成された集砂溝１６ａの端部内に配設されている。また、排水管２３の下端開口２３ｃはマンホール１２の下端部（底部）近傍に配設されている。
【００３１】
しかも、折曲部２３ａの上端には空気抜き用の逆止弁２４が装着されている。この逆止弁２４は、マンホール１２内に流入する雨水が排水管２３の開口２３ｂより上方に上昇する際に、上昇する雨水で圧縮される排水管２３内の空気を抜くようになっている。
[作用]
次に、このような構成の雨水調整施設７の作用を説明する。
【００３２】
このような雨水調整施設７が設置された住宅地等において、雨水が雨水マス２０や図示しない集水部（側溝）等から雨水流入管１９を介して流入し、流入した雨水がマンホール１１内に流入し、流入した雨水がマンホール１１の開口１１ａより上昇すると、この雨水は集砂部材１６の集砂溝１６ａが開口する雨水流入空間（符号省略）内に流入する。この際、この雨水流入空間（符号省略）に流入する雨水は土砂や枯れ葉等の浮遊物と共に集砂溝１６ａ内に流入する。
【００３３】
そして、雨水流入空間（符号省略）へ流入して集砂溝１６ａから溢れた雨水は、雨水案内部材８の多孔板製の傾斜板部８ａから下方に流出して、雨水調整空間６内の底部に貯留される。この際、傾斜板部８ａは、雨水は流下させるが土砂等が流下しないような多孔板から形成されているので、土砂や枯れ葉等の浮遊物が下方に流下するのを防止している。この土砂や枯れ葉等の浮遊物は、集砂溝１６ａ内に沈殿するか、マンホール１１の開口１１ａを介してマンホール１２内に流出する。
【００３４】
尚、雨水調整空間６内の底部に貯留される雨水は、オリフィス２２を介してマンホール１２内に少量ずつ流出する。また、集砂溝１６ａから溢れた雨水の一部は、マンホール１２の開口１２ａからマンホール１２内に流出する。このようにして、マンホール１２内に流出する雨水は排水パイプ２１を介して下水に少量ずつ排水される。
【００３５】
一方、多量の雨水が急激にマンホール１１内に流入する場合、この雨水には多量の土砂や枯れ葉等の浮遊物が含まれることになる。そして、土砂や枯れ葉等の浮遊物が含まれる雨水はマンホール１１の開口１１ａから雨水調整空間６内に流入する。
【００３６】
そして、この多量の雨水は、最初に集砂部材１６のある部分において水平方向に配列された多数の雨水案内部材８上に周囲に向けて広がるが、雨水案内部材８の傾斜板部８ａで流下しきれなくなる。これに伴い雨水調整空間６に貯留される雨水の水位が上昇する。
【００３７】
この雨水の水位の上昇により、雨水調整空間６に貯留される雨水がマンホール１２の開口１２ａを超えると、この雨水はマンホール１２内に流入して排水パイプ２１から下水に排水される。そして、マンホール１２内の水位が上昇して、排水管２３の下端開口２３ｃより上昇し始めると、排水管２３内の空気が上昇させする雨水により圧縮されて、この圧縮される空気により逆止弁２４が開き、排水管２３内の空気がマンホール１２内に排気される。そして、マンホール１２内の雨水が排水管２３の屈曲部２３ａより上昇すると、排水管２３ａ内は雨水により満たされる。
【００３８】
この後、更に雨水が雨水調整空間６内に流入すると、流入する雨水は集砂部材１６より更に上昇して、集砂部材１６より高い位置ある雨水案内部材８の多孔質の傾斜板部８ａを介して上昇し、最終的には雨水調整空間６内が上端まで雨水により満たされることもある。この際、集砂部材１６より高い位置ある雨水案内部材８の多孔質の傾斜板部８ａは、マンホール１１の開口１１ａから雨水調整空間６内に流入する土砂や枯れ葉等の浮遊物が、集砂部材１６の集砂溝１６ａが開口する空間より更に上方に上昇するの防止する。
【００３９】
このようにして、雨水の流入量が多い場合には、多量の雨水の大半は雨水調整空間６内に一時的に貯留されて、河川の氾濫や、住宅地等の周囲の雨水の滞留を防止する。
【００４０】
そして、雨水調整空間６内への雨水の流入が止まって、マンホール１２内の雨水が排水パイプ２１を介して下水に排水されるに伴い、マンホール１２内の雨水の水位が下がる。この雨水の水位の降下に伴い、雨水調整空間６内の集砂部材１６より上方に貯留された雨水は多数の雨水案内部材８の傾斜板部８ａを介して下方に流下する。
【００４１】
この流下に伴い、集砂部材１６の集砂溝１６ａが開口する雨水流入空間（符号省略）内の雨水は、一部が多数の雨水案内部材８の傾斜板部８ａを形成する多孔板から下方に流下すると共に、残りが集砂溝１６ａ側に流れる。この際、集砂溝１６ａが開口する雨水流入空間（符号省略）の底部を形成している多数の雨水案内部材８のうち周縁のものは図１の矢印Ａ１で示したように雨水調整空間６の内側に雨水を案内し、この空間の内側の雨水案内部材８は雨水を集砂部材１６の集砂溝１６ａ内に案内するようになっている。
【００４２】
この際、雨水流入空間（符号省略）の底部を形成する多数の雨水案内部材８は、多孔板から形成された傾斜板部８ａが雨水の一部を下方に流下させると共に、土砂及び枯れ葉等の浮遊物を雨水の一部と共に集砂部材１６の集砂溝１６ａ内に案内する。
【００４３】
そして、集砂溝１６ａ内に案内される雨水及び土砂や枯れ葉等の浮遊物は、サイホンの原理により排水管２３内に上部開口２３ｂを介して吸い込まれて、下端開口２３ｃからマンホール１２の下部内に排出された後、排水パイプ２１から下水に排出される。
【００４４】
従って、集砂溝１６ａが開口する雨水流入空間（符号省略）内に雨水と共に流入する土砂は、集砂部材１６より下方に流下することなくマンホール１２内に排水管２３を介してサイホンの原理により自動的に効率的に排出されるので、雨水調整施設７内に流入する土砂等の除去作業を定期的に行う必要がない。
【００４５】
また、集砂溝１６ａが開口する雨水流入空間（符号省略）内に雨水と共に流入する枯れ葉等の浮遊物も、排水管２３を介してサイホンの原理により自動的に効率的にマンホール１２内に排出されるので、雨水調整空間６内の集砂部材１６よりも下方に貯留される雨水をポンプ等を介して吸い上げて、吸い上げた雨水を他の目的に使用しても、ポンプの吸込口に浮遊物等が付着するようなことはないので、ポンプの吸込口に設けられるフィルタの清掃作業も頻繁に行う必要がなく、メンテナンスが容易となる。
（変形例）
以上説明した実施例では、排水管２３の上部開口２３ｂを集砂溝１６ａ内上方から配設した例を示したが、必ずしもこれに限定されるものではない。
【００４６】
例えば、図７に示したように、排水管２３の上端部を実線で示したようにＳ字状に屈曲させると共に、排水管２３の上部開口２３ｂが集砂溝１６ａの底部に開口するように排水管の上端部を集砂部材１６の底部に接続固定した構成としても良い。また、排水管２３は、実線で示したようにＳ字状に屈曲させずに、二点鎖線で示したようにクランク状に屈曲させた構成としても良い。尚、排水管２３の上部開口２３ｂ内に図８に示したような弁体２５を設けておいて、この弁体２５を図示しないコイルスプリング等で上部開口２３ｂを閉成するように付勢すると共に、雨水が集砂部材１６の集砂溝１６ａ内に流入したときに、流入する雨水で開くようにすることもできる。
【００４７】
以上説明したように、この発明の実施の形態の雨水調整施設では、土砂を雨水から分離可能な多数の雨水案内部材８を地面内に形成した雨水貯留部（雨水調整空間６）内に三次元的に配列積層すると共に、前記雨水貯留部内（雨水調整空間６）に雨水を流入させる流入口（開口１１ａ）を設けて、前記流入口（開口１１ａ）から前記雨水貯留部（雨水調整空間６）内に流入する雨水に含まれる土砂を前記雨水案内部材８で前記雨水から分離し、この分離した土砂を集砂部に捕集させるようになっている。
【００４８】
しかも、前記雨水貯留部（雨水調整空間６）の上部側に前記集砂部（集砂溝１６ａ）を設けると共に、前記集砂部（集砂溝１６ａ）内に排水口（排水パイプ２１）に連通する排水管２３を臨ませている。
【００４９】
この構成によれば、人手によることなく土砂や木の葉等の浮遊物を雨水貯留部内から自動的に除去できる。
【００５０】
また、この発明の実施の形態の雨水調整施設においては、前記排水管２３の上端部を逆Ｕ字状に折曲させて、前記上部開口２３ｂが下方を向いた折曲部２３ａを前記排水管２３の上端部に形成すると共に、前記上部開口２３ｂを集砂部（集砂溝１６ａ）内に配設することにより、前記集砂部（集砂溝１６ａ）に雨水の一部と共に流入する土砂をサイホンの原理を利用して前記排水管２３の上部開口２３ｂから吸い込ませて下端開口２３ｃから排出可能に設けられている。
【００５１】
この構成によれば、、集砂部に案内される土砂を雨水と共にサイホンの原理を利用して排水口側に吸い出すことができる。
【００５２】
更に、この発明の実施の形態の雨水調整施設において、前記排水管２３の下端開口２３ｃは前記地面に埋設されたマンホール１２内に配設されていることを特徴とする。この構成によれば、マンホールを利用して排水管の点検・補修等のメインテナンスを容易に行うことができる。
【００５３】
更に、この発明の実施の形態の雨水調整施設において、前記排水管２３内の空気を排水管２３外に抜くことが可能な空気抜き用逆止弁２４を前記折曲部２３ａの上端部に設けた構成としている。この構成によれば、マンホール内に流入する雨水が排水管の上部開口より上方に上昇する際に、上昇する雨水で圧縮される排水管内の空気を抜いて、マンホール内の雨水が排水管の上部開口より下方に降下する際に、集砂部の土砂及び雨水の一部がサイホンの原理により排水管を介して自動的に排出される。
【図面の簡単な説明】
【００５４】
【図１】この発明に係る雨水調整施設の概略平面図である。
【図２】（ａ）は図１のＡ−Ａ線に沿う断面図、（ｂ）は（ａ）の防水シートの概略説明図、（ｃ），（ｄ）は（ｂ）の防水シートの部分断面図である。
【図３】図１のＢ−Ｂ線に沿う断面図である。
【図４】図１のＣ−Ｃ線に沿う断面図である。
【図５】図１，図２に示した集砂部材の断面図である。
【図６】図２（ａ）、図３、図４に示した雨水案内部材の斜視図である。
【図７】図４に示した排水管の変形例を説明する要部概略説明図である。
【図８】図７の排水管の端部の構造を示す説明図である。
【符号の説明】
【００５５】
１…地面
６…雨水調整空間（雨水貯留部）
７…雨水調整施設
８…雨水案内部材
１１ａ…開口（流入口）
１６…集砂部材
１６ａ…集砂溝（集砂部）
２１…排水パイプ（排水口）
２３…排水管
２３ａ…折曲部
２３ｂ…上部開口
２３ｃ…下端開口
２４…逆止弁
【図１】
2007262655.tif 000003
【図２】
2007262655.tif 000004
【図３】
2007262655.tif 000005
【図４】
2007262655.tif 000006
【図５】
2007262655.tif 000007
【図６】
2007262655.tif 000008
【図７】
2007262655.tif 000009
【図８】
2007262655.tif 000010